(57)【要約】  モバイル機器のアンテナを駆動するための方法、及びアンテナと、複数のアンテナ整合回路と、選択部と処理部とを備えるモバイル機器が説明される。【選択図】図２
2013506330.tif 000002
【特許請求の範囲】
【請求項１】
モバイル機器のアンテナを駆動するための方法であって、
前記アンテナを駆動するための複数のアンテナ整合回路を設けること、
それぞれが前記複数のアンテナ整合回路のうちの１つと関連付けられており、前記モバイル機器が前記モバイル機器のユーザに対して配置される配置を定義する前記モバイル機器の複数の既定義ユースケースを設定すること、
前記複数の既定義ユースケースの中からの前記モバイル機器の現在のユースケースを検出すること、
前記モバイル機器の前記検出される現在のユースケースに応じて前記複数のアンテナ整合回路のうちの１つを選択すること、及び
前記選択されるアンテナ整合回路で前記アンテナを動作させること
を含む方法。
【請求項２】
前記複数のユースケースが、
前記モバイル機器が前記ユーザから間隔を置いて使用される第１の配置と、
前記モバイル機器が前記ユーザの手の中で前記ユーザの頭の近くに保持されているときに使用され、前記手が前記アンテナの少なくとも一部を覆っている第２の配置と、
前記モバイル機器が前記ユーザの前記手の中で前記ユーザの前記頭の近くに保持されているときに使用され、前記手が前記アンテナを覆っていない第３の配置と、
前記モバイル機器が前記ユーザの前記手の中で前記ユーザの前記頭から間隔を置いて保持されているときに使用され、前記手が前記アンテナの少なくとも一部を覆っている第４の配置と
を含む請求項１に記載の方法。
【請求項３】
前記現在のユースケースが、
前記モバイル機器のセンサ、
前記モバイル機器のハンズフリーモード設定、
前記モバイル機器のブルートゥースモード設定、及び
パーソナルハンズフリー機器への接続の検出
のうちの少なくとも１つに基づいて判定される請求項１又は請求項２に記載の方法。
【請求項４】
前記現在のユースケースが、前記アンテナの部分の前記モバイル機器の裏面に位置する複数の近接センサに基づいて判定される請求項１〜３のいずれか１項に記載の方法。
【請求項５】
前記選択されるアンテナ整合回路で前記アンテナを動作させる前記ステップが、前記選択されるアンテナ整合回路を前記アンテナに結合することを含む請求項１〜４のいずれか１項に記載の方法。
【請求項６】
アンテナと、
前記アンテナを駆動するための複数のアンテナ整合回路と、
前記複数のアンテナ整合回路のうちの１つを選択し、前記アンテナに結合するための選択部と、
それぞれが前記複数のアンテナ整合回路のうちの１つと関連付けられており、モバイル機器がモバイル機器のユーザに対して配置される配置を定義するモバイル機器の複数の既定義ユースケースの中からのモバイル機器の現在のユースケースを検出するように適合され、前記検出される現在のユースケースに応じて前記複数のアンテナ整合回路のうちの１つを選択し、前記選択されるアンテナ整合回路を前記アンテナに結合するようにスイッチング部を駆動するようにさらに適合されている処理部と
を備えるモバイル機器。
【請求項７】
携帯電話、携帯情報端末、モバイルナビゲーションシステム、及びモバイルコンピュータを含むグループの中から選択される機器を構成する請求項６に記載のモバイル機器。
【請求項８】
請求項１〜５のいずれか１項に記載の方法を実行するように適合されている請求項６又は請求項７に記載のモバイル機器。
【発明の詳細な説明】
【技術分野】
【０００１】
本発明はモバイル機器のアンテナを駆動するための方法、及びモバイル機器のアンテナを駆動するための方法を利用するモバイル機器に関する。
【発明の概要】
【課題を解決するための手段】
【０００２】
本発明の一実施形態によれば、モバイル機器のアンテナを駆動するための方法が提供される。モバイル機器は、例えば、携帯電話、携帯情報端末、モバイルナビゲーションシステム、音声データなどのデータを送信するためのアンテナを備えるモバイルコンピュータなどとすることができる。本方法によれば、アンテナを駆動するための複数のアンテナ整合回路が設けられる。さらに、モバイル機器の複数の既定義ユースケース（use case）が定義される。各ユースケースはモバイル機器がモバイル機器のユーザに関してどのように配置されるかを定義し、これはモバイル機器がモバイル機器のユーザに関して物理的に位置し、向けられている態様を意味する。各ユースケースは複数のアンテナ整合回路のうちの１つと関連付けられている。アンテナ整合回路はそれぞれ、関連付けられたユースケースにおいて、モバイル機器の無線周波数部とアンテナとの間のインピーダンス整合を実現するように適合され得る。異なるユースケースに対応したアンテナの様々なインピーダンスに起因する異なるインピーダンス整合が必要になる可能性がある。本方法によれば、複数の既定義ユースケースの中からのモバイル機器の現在のユースケースが検出され、これは、モバイル機器のユーザに対するモバイル機器の実際の、又は現在の配置が検出されることを意味する。モバイル機器の検出される現在のユースケースに応じて複数のアンテナ整合回路のうちの１つが選択され、アンテナは、選択されるアンテナ整合回路で動作する。
【０００３】
一実施形態によれば、複数のユースケースは、モバイル機器のユーザに対するモバイル機器の少なくとも以下の配置を含む。
第１の配置。モバイル機器がユーザから間隔を置いて使用される。例えば、ユーザがモバイル機器に触れず、モバイル機器が例えばテーブルの上や乗り物の保持システムに位置するハンズフリー動作モードで動作するときなど。
第２の配置。モバイル機器がユーザの頭又は耳の近くでユーザの手の中に位置し、手がアンテナを少なくとも一部覆っている。
第３の配置。モバイル機器がユーザの手の中に、ユーザの頭の近くで保持され、手はアンテナを覆っていない。
第４の配置。モバイル機器がユーザの手の中に、ユーザから間隔を置いて保持され、手がアンテナの少なくとも一部を覆っている。例えば、ユーザがモバイル機器のハンズフリー通話機能を使用しており、同時にモバイル機器を自分の手の中に保持しているときなど。
【０００４】
現在のユースケースは、例えば、モバイル機器の近接センサなどに基づいて判定することができる。近接センサは、ユーザがアンテナを少なくとも一部覆っている場合にセンサに適合されていてもよく、またさらに近接センサは、モバイル機器がユーザの頭の近くに位置するかどうか感知するように適合されていてもよい。また現在のユースケースは、モバイル機器がハンズフリーモードで動作しているか否かを指示するモバイル機器のハンズフリーモード設定に基づいて判定することもできる。さらにユースケースは、ブルートゥースヘッドセットがモバイル機器に接続されているかどうか指示するモバイル機器のブルートゥースモード設定に基づいて判定することもできる。さらに現在のユースケースは、モバイル機器が、例えば乗り物などにおいて、パーソナルハンズフリー機器と接続して動作していることを指示する、パーソナルハンズフリー装置（ＰＨＦ装置）への接続が確立されているかどうかの検出に基づいて判定することもできる。さらに、現在のユースケースを判定するために、複数の近接センサをアンテナ部分のモバイル機器の裏側に位置決めすることもできる。
【０００５】
別の実施形態によれば、選択されるアンテナ整合回路でアンテナを動作させることは、アンテナへの選択されるアンテナ整合回路の結合を含む。
【０００６】
アンテナを備えるモバイル機器、特に例えば携帯電話などは、モバイル機器のユーザに対するモバイル機器の異なる配置を定義する多種多様な態様で動作させることができる。しかし、これらの異なる配置はモバイル機器のアンテナの特性、例えばアンテナのインピーダンスなどに影響を及ぼす可能性がある。これは、ある特定の配置についてアンテナの性能低下をもたらすことになるモバイル機器の無線周波数部とアンテナとの不整合につながる可能性がある。これはドロップコール又はデータ通信切断につながり、よって、モバイル機器のユーザの不満を招く可能性がある。前述のモバイル機器のアンテナを駆動するための方法を使用することにより、モバイル機器の検出されるユースケース又は配置に応じてアンテナを動作させるために適切な整合回路が使用され、よって、すべてのユースケースについてアンテナ性能の改善を達成することができる。ユースケース又は配置が、例えば通話やデータ通信の間に変化している場合でさえも、アンテナが常に最適なアンテナ整合回路で動作するため、アンテナ性能の改善を達成することができる。
【０００７】
一実施形態によれば、アンテナと、アンテナを駆動するための複数のアンテナ整合回路と、選択部と、処理部とを備えるモバイル機器が提供される。選択部は、複数のアンテナ整合回路のうちの１つを選択し、アンテナに結合するように適合されている。処理部は、モバイル機器の複数の既定義ユースケースの中からのモバイル機器の現在のユースケースを検出するように適合されている。本発明の方法と関連して先に定義したように、各ユースケースは複数のアンテナ整合回路のうちの１つと関連付けられており、各ユースケースはモバイル機器のユーザに対するモバイル機器の配置を定義する。処理部はさらに、検出される現在のユースケースに応じて複数のアンテナ整合回路のうちの１つを選択し、選択されるアンテナ整合回路をアンテナに結合するようにスイッチング部を駆動するように適合されている。
【０００８】
モバイル機器は、携帯電話、携帯情報端末、モバイルナビゲーションシステム、又はモバイルコンピュータを構成し得る。
【０００９】
上記の概要及び以下の詳細な説明において説明する具体的特徴は特定の実施形態との関連で説明されるが、説明する実施形態の特徴は、特に指示しない限り、相互に組み合わせることもできることを理解すべきである。
【図面の簡単な説明】
【００１０】
以下、図面を参照して本発明の例示的実施形態を説明する。
【００１１】
【図１】３つの異なるユースケースについて伝送周波数（ｆ）に対する電圧定在波比（ＶＳＷＲ）がプロットされている図である。
【図２】本発明の一実施形態によるモバイル機器を示すブロック図である。
【図３】図３（ａ）〜３（ｃ）は、３つの異なるユースケースにおける本発明によるモバイル機器の裏側のセンサを概略的に示す図である。
【図４】図３に示すセンサのセンサ値に応じて整合回路を選択するための表を示す図である。
【発明を実施するための形態】
【００１２】
以下では本発明の例示的実施形態を詳細に説明する。以下の説明は本発明の原理を説明するために行うにすぎず、限定的な意味に解するべきではないことを理解すべきである。そうではなく、本発明の範囲は添付の特許請求の範囲によってのみ定義され、以下の例示的実施形態によって限定されるものではない。
【００１３】
本明細書で説明する様々な例示的実施形態の特徴は、特に指示しない限り、相互に組み合わされ得ることを理解すべきである。図面の様々な例の同じ参照符号は類似の、又は同一の構成要素を指し示す。
【００１４】
図１に、３つの異なるユースケースについて、伝送周波数（ｆ）に対するモバイル機器のアンテナとの組み合わせた無線周波数部の電圧定在波比（ＶＳＷＲ）の図又はプロットを示す。
【００１５】
ユースケース１で、モバイル機器はユーザから間隔を置いて動作し得る。携帯電話の場合、携帯電話はハンズフリー動作モードで動作し、携帯電話の正面も背面もユーザの身体部分で覆われないようにユーザから離れて位置し得る。結果として得られるこのユースケースのＶＳＷＲが図１に実線で示されている。図示のように、低域でも高域でも共振周波数を指示する低いＶＳＷＲの値に達している。低域は、例えば、９００ＭＨｚ前後の伝送帯域などとすることができ、高域は１８００ＭＨｚ前後の周波数を含み得る。
【００１６】
ユースケース２で、モバイル機器、例えば携帯電話などはいわゆる通話位置に配置されていてもよく、通話位置では、例えば、携帯電話がユーザの手の中に保持されると同時に携帯電話の正面がユーザの耳の近くに配置される。しかし、このユースケース２では、携帯電話の背面はユーザの手で完全に覆われていなくてもよく、したがって特に、携帯電話の背面のアンテナ部分はユーザの手による影響を受けず、又はごくわずかしか受けない。結果として得られるこのユースケース２のＶＳＷＲが図１に一点鎖線で示されている。
【００１７】
ユースケース３で、モバイル機器、例えば携帯電話などは、やはり、携帯電話の正面がユースケース２と同様にユーザの耳を向いている通話位置に配置され得るが、ユースケース３では、ユーザの手はこれに加えて、携帯電話のアンテナが位置する携帯電話の背面の部分を覆っている。よって、アンテナはユーザの頭及び耳による影響のみならず、ユーザの手による影響も受ける。結果として得られるこのユースケース３の配置のＶＳＷＲが図１に破線で示されている。
【００１８】
図１の３つのユースケースについてのグラフから分かるように、低域と高域両方におけるＶＳＷＲの最小値、即ち共振周波数が、各ユースケースに応じて移動される。モバイル機器のアンテナと対応する無線周波数部があるユースケースに整合される、例えば、あるユースケース２に整合される場合には、その他のユースケース、即ち、ユースケース１及びユースケース３では不整合が生じる。これは伝送低下をもたらす可能性があり、したがって、ドロップコール又は通話中の切断の可能性が高くなる。
【００１９】
図２に本発明の一実施形態によるモバイル機器を示す。モバイル機器１は、モバイル機器のアンテナ３に結合された無線周波数部（ＲＦ部）２を備える。無線周波数部２をアンテナ３に結合するについては、無線周波数部２をモバイル機器１の複数の整合回路５〜８のうちの１つと選択的に結合するスイッチ４が設けられている。整合回路５〜８のもう一方の端部はアンテナ３に結合されている。スイッチ４には、スイッチ４のスイッチングを制御するための、よって、無線周波数部２を整合回路５〜８のうちの１つに接続するための処理部９が結合されている。処理部９はさらに、モバイル機器１のセンサ１０と、モバイル機器１の動作モード部１１とに接続されている。センサ１０は、例えば、モバイル機器の正面及び／又は背面がモバイル機器のユーザの身体部分の近くに位置するかどうか検出するための近接センサなどとすることができる。動作モード部は、モバイル機器の現在の動作モードに関する情報、例えば、ヘッドセット、例えばブルートゥースヘッドセットなどがモバイル機器に接続されているかどうか、モバイル機器のハンズフリーモードが活動化されているかどうか、或いはモバイル機器が、例えば乗り物などのパーソナルハンズフリー設備（ＰＨＦ）に接続されているかどうかなどを提供するように適合され得る。
【００２０】
整合回路５〜８はそれぞれ、無線周波数部２をアンテナ３に整合させるための異なる整合特性を提供する。
【００２１】
整合回路５は、例えば、アンテナ３が自由空間に位置する、換言すると、アンテナの周りでユーザのどの身体部分も近距離に位置しない場合について、無線周波数部２とアンテナ３との最適な整合を提供するように適合され得る。これは、モバイル機器がハンズフリーモードで使用される場合とすることができる。
【００２２】
整合回路６は、アンテナの正面がユーザの身体部分、例えばユーザの耳などの近くに位置し、アンテナの背面部分がユーザの別の身体部分、例えば、ユーザの１本又は複数の指などの近くに位置するときに、アンテナ３と無線周波数部２との最適な整合を提供するように適合され得る。これは、モバイル機器がユーザの耳の近くに配置され、ユーザの手がモバイル機器の背面に配置されている通話位置においてモバイル機器が使用される場合とすることができる。
【００２３】
整合回路７は、アンテナ３の背面だけがユーザの身体部分で覆われている場合、例えば、ユーザがモバイル機器をユーザの手の中に保持しており、電子メール又はショートメッセージサービス（ＳＭＳ）によって送信されるべきメッセージを作成しているときなど、モバイル機器の正面が身体部分の近くにない場合に、無線周波数部２とアンテナ３との最適な整合を提供するように適合され得る。
【００２４】
最後に、整合回路８は、モバイル機器の正面、よってアンテナの正面がユーザの耳の近くに位置するが、モバイル機器の背面、特にアンテナの背面がどんな身体部分でも覆われていない場合について、無線周波数部２とアンテナ３との最適な整合を提供するように適合され得る。これは、ユーザが、ユーザの耳の近くでモバイル機器を保持し、モバイル機器の背面が指で完全に覆われないようにモバイル機器を指で保持している通話位置においてモバイル機器を使用している場合とすることができる。
【００２５】
処理部９は、動作モード部１１からのモバイル機器１の現在の動作モードに関する情報、及び近接センサ１０からのそれ以外の情報を受け取る。近接センサ１０は、モバイル機器のユーザの身体部分がアンテナ３の正面及び／又は背面を覆っているかどうかの情報を提供するために、アンテナ３の部分のモバイル機器の正面と背面とに位置し得る。さらに、アンテナ３の一部又は全部がユーザの身体部分で覆われているかどうかの情報を提供するために、アンテナの各面に複数の近接センサがあってもよい。センサ１０及び動作モード部１１から導出されるこの情報によって、処理部９は、モバイル機器１の現在のユースケースを判定し、スイッチ４を介して無線周波数部２を適切な整合回路５〜８とアンテナ３とに接続するために、検出されるユースケースに従ってスイッチ４を制御する。例えば、動作モード部１１が、ユーザが電子メール又はＳＭＳを作成しており、現在、通話接続が確立されていないことを指示するときなどには、処理部９はスイッチ４を、無線周波数部２とアンテナ３との接続が整合回路７を介して確立されるように制御し得る。
【００２６】
例えば、モバイル機器１のディスプレイ上方の近接センサが身体部分の近接を指示し、モバイル機器の背面の別の近接センサも身体部分の近接を指示するとき、処理部９はこれから、モバイル機器がユーザの頭の近くで手の中に保持されており、手がアンテナを少なくとも一部覆っているユースケースを判定する。したがって、処理部９はスイッチ４を、アンテナ３への無線周波数部２の結合に際して整合回路６が使用されるように駆動する。
【００２７】
別の例によれば、モバイル機器の正面の近接センサが身体部分への近接を指示し、動作モード部１１が、ハンズフリーモードがオフであり、ブルートゥースモードがオフであり、パーソナルハンズフリーモード（ＰＨＦ）もオフであることを指示するときに、処理部９はスイッチ４を、無線周波数部２をアンテナ３に結合するのに整合回路８が使用されるように駆動し得る。
【００２８】
前述の実施形態では４つの整合回路５〜８が設けられているが、適切な場合には、例えば２つ、３つ、５つ、或いはそれ以上など、他の任意の数の整合回路が設けられていてもよい。
【００２９】
図３（ａ）に、モバイル機器１の上側に位置するアンテナ３と、アンテナ３の３つの異なる部分に位置する３つの近接センサ１２〜１４とを備える、モバイル機器、例えば携帯電話１などの別の実施形態の裏面を示す。図３（ａ）では、近接センサ１２〜１４はユーザのどの身体部分でも覆われておらず、一方、図３（ｂ）ではセンサ１２がユーザの第１指１５で覆われており、図３（ｃ）ではセンサ１２及び１３がそれぞれユーザの第１指１５及び第２指１６で覆われている。
【００３０】
センサ１２〜１４の被覆に応じて、図４の表に示すように８つのユースケースを定義することができる。センサ１２〜１４のうちの１つがユーザの身体部分への近接を検出しないとき、これは図４の表に「オフ」で表示されており、センサ１２〜１４のうちの１つが身体部分への近接を検出する場合、これは図４の表に「オン」で表示されている。しかし、図４の例では８つのユースケースが定義されているが、ユースケースのうちのいくつかが、モバイル機器１の無線周波数部へのアンテナ３の最適な整合を提供するために共通の整合回路を共用してもよい。一例示的実施形態では、４つの異なる整合回路Ａ〜Ｄが設けられてもよく、整合回路Ａ〜Ｄは、ユーザの身体部分で覆われる部分の量に応じて最適な整合を提供する。整合回路Ａは、部分又はアンテナ３が全く覆われていない場合に選択することができ、整合回路Ｂは、アンテナ部分の３分の１が身体部分で覆われている場合に選択することができ、整合回路Ｃは、アンテナ３の部分の３分の２が覆われている場合に選択することができ、整合回路Ｄは、アンテナ３の部分全体がユーザの身体部分で覆われている場合に選択することができる。使用されるべき整合回路へのユースケースの対応する割当てが図４の表に示されている。図示のように、整合回路の数は定義されるユースケースの数より低くてもよい。
【００３１】
アンテナ３は、図３（ａ）〜３（ｃ）ではモバイル機器１の上側に位置しているが、アンテナ３及びセンサ１２〜１４は、モバイル機器１の下側や底面など、モバイル機器１の他の任意の適切な場所に位置していてもよい。
【００３２】
以上例示的実施形態を説明したが、他の実施形態においては様々な改変が実施され得る。例えば、図２と関連して定義されるユースケースは、図３及び図４と関連して定義されるユースケースと組み合わされてもよく、それによって、整合回路の数が増加してもよい。しかし、いくつかの整合回路がいくつかのユースケースによって共用されてもよく、その場合には必要な整合回路の数が低減される。さらに、スイッチ４によって選択される専用の整合回路を設ける代わりに、処理部９からの制御により構成可能とし得る１つ又は複数の構成可能な整合回路が設けられていてもよい。
【００３３】
加えて、近接センサの代わりに、又はこれに加えて、適切な場合には、接触センサや温度センサなど、他の任意の種類のセンサが使用されてもよい。
【００３４】
最後に、前述のすべての実施形態は、添付の特許請求の範囲により定義される本発明により包含されるとみなされることを理解すべきである。
【図１】
2013506330.tif 000003
【図２】
2013506330.tif 000004
【図３】
2013506330.tif 000005
【図４】
2013506330.tif 000006
【手続補正書】
【提出日】平成23年3月15日(2011.3.15)
【手続補正１】
【補正対象書類名】特許請求の範囲
【補正対象項目名】全文
【補正方法】変更
【補正の内容】
【特許請求の範囲】
【請求項１】
モバイル機器のアンテナを駆動するための方法であって、
前記アンテナを駆動するための複数のアンテナ整合回路を設けること、
それぞれが前記複数のアンテナ整合回路のうちの１つと関連付けられており、前記モバイル機器が前記モバイル機器のユーザに対して配置される配置を定義する前記モバイル機器の複数の既定義ユースケースを設定すること、
前記複数の既定義ユースケースの中からの前記モバイル機器の現在のユースケースを検出すること、
前記モバイル機器の前記検出される現在のユースケースに応じて前記複数のアンテナ整合回路のうちの１つを選択すること、及び
前記選択されるアンテナ整合回路で前記アンテナを動作させること
を含み、
前記現在のユースケースが、前記アンテナの部分の前記モバイル機器の裏面に位置する複数の近接センサに基づいて判定され、
前記近接センサは、前記アンテナの一部又は全部が前記ユーザの身体部分で覆われているかどうかの情報を提供するように適合されている方法。
【請求項２】
前記複数のユースケースが、
前記モバイル機器が前記ユーザから間隔を置いて使用される第１の配置と、
前記モバイル機器が前記ユーザの手の中で前記ユーザの頭の近くに保持されているときに使用され、前記手が前記アンテナの少なくとも一部を覆っている第２の配置と、
前記モバイル機器が前記ユーザの前記手の中で前記ユーザの前記頭の近くに保持されているときに使用され、前記手が前記アンテナを覆っていない第３の配置と、
前記モバイル機器が前記ユーザの前記手の中で前記ユーザの前記頭から間隔を置いて保持されているときに使用され、前記手が前記アンテナの少なくとも一部を覆っている第４の配置と
を含む請求項１に記載の方法。
【請求項３】
前記現在のユースケースが、
前記モバイル機器のセンサ、
前記モバイル機器のハンズフリーモード設定、
前記モバイル機器のブルートゥースモード設定、及び
パーソナルハンズフリー機器への接続の検出
のうちの少なくとも１つに基づいて判定される請求項１又は請求項２に記載の方法。
【請求項４】
前記選択されるアンテナ整合回路で前記アンテナを動作させる前記ステップが、前記選択されるアンテナ整合回路を前記アンテナに結合することを含む請求項１〜３のいずれか１項に記載の方法。
【請求項５】
アンテナと、
前記アンテナを駆動するための複数のアンテナ整合回路と、
前記複数のアンテナ整合回路のうちの１つを選択し、前記アンテナに結合するための選択部と、
前記アンテナの部分の前記モバイル機器の裏面に位置する複数の近接センサと、
それぞれが前記複数のアンテナ整合回路のうちの１つと関連付けられており、モバイル機器がモバイル機器のユーザに対して配置される配置を定義するモバイル機器の複数の既定義ユースケースの中からのモバイル機器の現在のユースケースを前記複数の近接センサに基づいて検出するように適合されている処理部と
を備え、
前記近接センサは、前記アンテナの一部又は全部が前記ユーザの身体部分で覆われているかどうかの情報を提供するように適合されており、
前記処理部は、前記検出される現在のユースケースに応じて前記複数のアンテナ整合回路のうちの１つを選択し、前記選択されるアンテナ整合回路を前記アンテナに結合するようにスイッチング部を駆動するようにさらに適合されているモバイル機器。
【請求項６】
携帯電話、携帯情報端末、モバイルナビゲーションシステム、及びモバイルコンピュータを含むグループの中から選択される機器を構成する請求項５に記載のモバイル機器。
【請求項７】
請求項１〜４のいずれか１項に記載の方法を実行するように適合されている請求項５又は請求項６に記載のモバイル機器。
【国際調査報告】
2013506330.tif 000007
2013506330.tif 000008